(57)【要約】【課題】現実の移動体に制約されない移動感覚を体験させること。【解決手段】実施形態に係る移動体験提供装置は、取得部と、生成部と、配信部とを備える。取得部は、現実空間を移動する移動体の周囲画像およびかかる移動体の現実空間における位置を取得する。生成部は、上記周囲画像および上記位置に基づいて仮想現実空間を上記移動体に対応する仮想移動体が移動する仮想現実映像を生成する。配信部は、仮想現実映像を上記移動体に搭乗するユーザへ配信する。【選択図】図３
2019207484.tif 000002
【特許請求の範囲】
【請求項１】
現実空間を移動する移動体の周囲画像および該移動体の前記現実空間における位置を取得する取得部と、
前記周囲画像および前記位置に基づいて仮想現実空間を前記移動体に対応する仮想移動体が移動する仮想現実映像を生成する生成部と、
前記仮想現実映像を前記移動体に搭乗するユーザへ配信する配信部と
を備えることを特徴とする移動体験提供装置。
【請求項２】
前記生成部は、
前記仮想移動体を、実際に存在する乗り物を模したもの、または、空想の世界のものとした前記仮想現実映像を生成する
ことを特徴とする請求項１に記載の移動体験提供装置。
【請求項３】
前記生成部は、
前記位置に基づき、前記現実空間での目印となる情報を含む前記仮想現実映像を生成する
ことを特徴とする請求項１または２に記載の移動体験提供装置。
【請求項４】
前記生成部は、
前記移動体に実際には同乗しないユーザを含む複数のユーザを前記仮想移動体にアバターとして同乗させた前記仮想現実映像を生成し、
前記配信部は、
前記複数のユーザのそれぞれに対し、前記仮想現実映像を配信する
ことを特徴とする請求項１、２または３に記載の移動体験提供装置。
【請求項５】
前記取得部は、
前記複数のユーザそれぞれの前記位置を取得し、
前記生成部は、
該位置に基づいて、前記複数のユーザそれぞれに対する前記仮想現実映像に前記現実空間での目印となる情報が含まれるように前記仮想現実映像を生成する
ことを特徴とする請求項４に記載の移動体験提供装置。
【請求項６】
請求項１〜５のいずれか一つに記載の移動体験提供装置と、
前記移動体験提供装置と通信可能に設けられ、前記移動体に搭載されて前記周囲画像を撮像する撮像装置と、
前記移動体験提供装置と通信可能に設けられ、前記仮想現実映像を表示してユーザに前記仮想現実空間を知覚させる表示装置と
を備えることを特徴とする移動体験提供システム。
【発明の詳細な説明】
【技術分野】
【０００１】
開示の実施形態は、移動体験提供装置および移動体験提供システムに関する。
【背景技術】
【０００２】
従来、コンピュータグラフィックス（ＣＧ：computer  graphics）等を利用して、仮想現実（ＶＲ：virtual  reality）空間を生成し、かかるＶＲ空間をＶＲゴーグル等を介して被験者に知覚させ、疑似体験させる技術が知られている。
【０００３】
たとえば、特許文献１には、ＶＲ空間内において移動に伴い変化する景観を被験者に視認させ、実際に移動しているかのごとく疑似体験させる景観シミュレータが提案されている。
【先行技術文献】
【特許文献】
【０００４】
【特許文献１】特開平１１−３２７４２２号公報
【発明の概要】
【発明が解決しようとする課題】
【０００５】
しかしながら、上述した従来技術は、被験者に移動に伴う動作を実際に行わせながらも被験者を所定の位置に留めつつ、景観の変化を疑似体験させるものに過ぎない。
【０００６】
自動運転技術が目覚ましい進歩を遂げつつある昨今、将来的には、自動運転で移動中の車両等の運転者にＶＲゴーグルを装着させ、現実の車両に制約されない移動感覚を体験させるニーズが出てくることが考えられる。
【０００７】
実施形態の一態様は、上記に鑑みてなされたものであって、現実の移動体に制約されない移動感覚を体験させることができる移動体験提供装置および移動体験提供システムを提供することを目的とする。
【課題を解決するための手段】
【０００８】
実施形態の一態様に係る移動体験提供装置は、取得部と、生成部と、配信部とを備える。前記取得部は、現実空間を移動する移動体の周囲画像および該移動体の前記現実空間における位置を取得する。前記生成部は、前記周囲画像および前記位置に基づいて仮想現実空間を前記移動体に対応する仮想移動体が移動する仮想現実映像を生成する。前記配信部は、前記仮想現実映像を前記移動体に搭乗するユーザへ配信する。
【発明の効果】
【０００９】
実施形態の一態様によれば、現実の移動体に制約されない移動感覚を体験させることができる。
【図面の簡単な説明】
【００１０】
【図１Ａ】図１Ａは、実施形態に係る移動体験提供方法の概要説明図（その１）である。
【図１Ｂ】図１Ｂは、実施形態に係る移動体験提供方法の概要説明図（その２）である。
【図２】図２は、実施形態に係る移動体験提供システムの構成例を示す図である。
【図３】図３は、実施形態に係る移動体験提供装置のブロック図である。
【図４Ａ】図４Ａは、仮想の移動体の具体例を示す図である。
【図４Ｂ】図４Ｂは、仮想の移動体の室内における外観表示の具体例を示す図である。
【図５Ａ】図５Ａは、ＶＲ映像における車外の風景の具体例を示す図（その１）である。
【図５Ｂ】図５Ｂは、ＶＲ映像における車外の風景の具体例を示す図（その２）である。
【図６Ａ】図６Ａは、仮想の移動体による移動体験を複数のユーザで共有する場合の具体例を示す図（その１）である。
【図６Ｂ】図６Ｂは、仮想の移動体による移動体験を複数のユーザで共有する場合の具体例を示す図（その２）である。
【図６Ｃ】図６Ｃは、仮想の移動体による移動体験を複数のユーザで共有する場合の具体例を示す図（その３）である。
【図７】図７は、実施形態に係る移動体験提供装置が実行する処理手順を示すフローチャートである。
【発明を実施するための形態】
【００１１】
以下、添付図面を参照して、本願の開示する移動体験提供装置および移動体験提供システムの実施形態を詳細に説明する。なお、以下に示す実施形態によりこの発明が限定されるものではない。
【００１２】
また、以下では、移動体が車両であるものとする。また、かかる車両は自動運転が可能であり、運転者がＶＲゴーグルを装着しても、自動運転により車両の安全性は確保可能であるものとする。なお、ＶＲゴーグルは、「表示装置」の一例に相当する。
【００１３】
まず、実施形態に係る移動体験提供方法の概要について、図１Ａおよび図１Ｂを用いて説明する。図１Ａおよび図１Ｂは、実施形態に係る移動体験提供方法の概要説明図（その１）および（その２）である。
【００１４】
図１Ａに示すように、ユーザＵ０１の所有する車両Ｃは軽ワゴンであるものとする。そして、かかるユーザＵ０１が、高級セダンＬＳに乗っている感覚も味わってみたいと欲したものとする。
【００１５】
かかる場合、通常であれば、現実のディーラー等へ赴き、現実の高級セダンＬＳに試乗させてもらうという選択肢がある。ただし、かかる場合、人気の車種や新型車等であれば、試乗の予約が先々まで埋まっている可能性があり、即座にユーザＵ０１の希望を叶えられない可能性がある。
【００１６】
本実施形態に係る移動体験提供方法は、こうした場合等に、現実の高級セダンＬＳを用意することなく、移動中の車両ＣにおいてユーザＵ０１へＶＲ空間を知覚させ、たとえば高級セダンＬＳに乗って移動している移動感覚を疑似体験させるものである。
【００１７】
具体的には、図１Ｂに示すように、車両Ｃは、カメラ５を備える。カメラ５は、車両Ｃの全周囲を撮像可能となるように設けられている。なお、カメラ５は、車室内のドライブレコーダのカメラを含んでもよい。
【００１８】
そして、車両Ｃは、たとえば移動中において、カメラ５の撮像映像およびＧＰＳ情報を送信する（ステップＳ１）。
【００１９】
なお、かかる車両Ｃの搭乗者であるユーザＵ０１は、搭乗中、ＶＲゴーグル１０を装着する。ＶＲゴーグル１０は、内部の表示部にＶＲ空間を映像化したＶＲ映像を表示可能に設けられている。また、ＶＲゴーグル１０は、たとえば内部に図示略のＧＰＳセンサが設けられており、ＧＰＳセンサからＧＰＳ情報を取得して送信する。
【００２０】
図１Ｂに示す移動体験提供装置１００は、移動体験提供サービスを提供するサーバ装置である。たとえば、移動体験提供装置１００は、インターネット等の通信ネットワークＮを介して、カメラ５の撮像映像およびＧＰＳ情報を取得する（ステップＳ２）。
【００２１】
そして、移動体験提供装置１００は、かかる撮像映像およびＧＰＳ情報に基づき、ＶＲ映像を生成する（ステップＳ３）。たとえば、移動体験提供装置１００は、図１Ｂに示すように、ＶＲ空間内において仮想の高級セダンＬＳが移動するＶＲ映像を生成する。かかるＶＲ映像においては、外装はもちろん内装も高級セダンＬＳのものがＣＧによって再現されている。
【００２２】
そして、移動体験提供装置１００は、生成したＶＲ映像を配信し（ステップＳ４）、ＶＲゴーグル１０は、通信ネットワークＮを介して、配信されたＶＲ映像を受信する（ステップＳ５）。
【００２３】
そして、ＶＲゴーグル１０は、受信したＶＲ映像を内部の表示部に表示することによってユーザＵ０１にＶＲ空間を知覚させる。
【００２４】
これにより、ユーザＵ０１は、現実には自身の所有する車両Ｃによって移動しながらも、ＶＲゴーグル１０を介してＶＲ空間を知覚し、かかるＶＲ空間内において高級セダンＬＳに搭乗して移動する移動感覚を疑似体験することができる。
【００２５】
すなわち、本実施形態に係る移動体験提供方法によれば、ユーザＵ０１に対し、現実の移動体（ここでは、車両Ｃ）に制約されない移動感覚を体験させることができる。
【００２６】
なお、本実施形態に係る移動体験提供方法では、ユーザＵ０１は実際に移動していることから、ＶＲ空間内への没入を防ぐため、実際の移動にあわせてＶＲ映像に目印となるＰＯＩ（point  of  interest）を合成してもよい。また、ＶＲ映像においては、車外の映像には現実の映像を合成することとしてもよい。これらの点については、図５Ａおよび図５Ｂを用いた説明で後述する。
【００２７】
また、ＶＲ空間内においては、仮想の移動体は、現実の移動体を模したものに限らなくともよく、映画や空想の世界に登場するようなものであってもよい。かかる点については、図４Ａおよび図４Ｂを用いた説明で後述する。
【００２８】
また、図１Ｂでは、１人のユーザＵ０１がＶＲ空間において疑似体験する例を挙げたが、複数のユーザが同時にＶＲ空間を共有する、すなわち、仮想の移動体による移動体験を複数のユーザで共有してもよい。かかる点については、図６Ａ〜図６Ｃを用いた説明で後述する。
【００２９】
以下、上述した実施形態に係る移動体験提供方法を適用した移動体験提供システム１の構成について、より具体的に説明する。
【００３０】
図２は、実施形態に係る移動体験提供システム１の構成例を示す図である。図２に示すように、実施形態に係る移動体験提供システム１には、移動体に搭載されるカメラ５と、同じく移動体に装備されたＶＲゴーグル１０と、移動体験提供装置１００と、運営者端末２００とが含まれる。
【００３１】
これらの各種装置は、通信ネットワークＮを介して、有線または無線により通信可能に接続される。また、図２に示す移動体験提供システム１に含まれる各装置の数は図示したものに限られない。たとえば、移動体験提供システム１には、ホストとなる移動体以外に装備された複数台のＶＲゴーグル１０が含まれてもよい。これら複数台のＶＲゴーグル１０は、上述した、複数のユーザが同時にＶＲ空間を共有する場合に用いることができる。具体例については、図６Ａ〜図６Ｃを用いた説明で後述する。
【００３２】
移動体験提供装置１００は、上述のように、カメラ５の撮像映像およびＧＰＳ情報を取得し、それに基づいてＶＲ映像を生成する。そして、生成したＶＲ映像を配信する。
【００３３】
運営者端末２００は、スマートフォンやノート型ＰＣ（Personal  Computer）、デスクトップ型ＰＣ、タブレット端末、ＰＤＡ（Personal  Digital  Assistant）、眼鏡型や時計型の情報処理端末であるウェアラブルデバイス（wearable  device）等の情報処理端末である。
【００３４】
運営者端末２００は、たとえば移動体験提供サービスの運営者が利用する端末であり、たとえばＶＲ映像の生成に際して用いられるＶＲモデル情報や、ＰＯＩ情報、移動体験提供サービスを利用するユーザ情報等の登録のためなどに用いられる。
【００３５】
次に、図３を用いて、実施形態に係る移動体験提供装置１００の構成例について説明する。図３は、実施形態に係る移動体験提供装置１００のブロック図である。なお、図３では、本実施形態の特徴を説明するために必要な構成要素のみを表しており、一般的な構成要素についての記載を省略している。
【００３６】
換言すれば、図３に図示される各構成要素は機能概念的なものであり、必ずしも物理的に図示の如く構成されていることを要しない。例えば、各ブロックの分散・統合の具体的形態は図示のものに限られず、その全部または一部を、各種の負荷や使用状況などに応じて、任意の単位で機能的または物理的に分散・統合して構成することが可能である。
【００３７】
図３に示すように、移動体験提供装置１００は、通信部１１０と、記憶部１２０と、制御部１３０とを有する。なお、移動体験提供装置１００は、移動体験提供装置１００を利用する管理者等から各種操作を受け付ける入力部（たとえば、キーボードやマウス等）や、各種情報を表示するための表示部（たとえば、液晶ディスプレイ等）を有してもよい。
【００３８】
通信部１１０は、たとえば、ＮＩＣ（Network  Interface  Card）等によって実現される。通信部１１０は、通信ネットワークＮと有線または無線で接続され、通信ネットワークＮを介して、カメラ５や、ＶＲゴーグル１０、運営者端末２００との間で情報の送受信を行う。
【００３９】
記憶部１２０は、たとえば、ＲＡＭ（Random  Access  Memory）、フラッシュメモリ（Flash  Memory）等の半導体メモリ素子、または、ハードディスク、光ディスク等の記憶装置によって実現され、図３の例では、ＶＲモデル情報１２１と、ＰＯＩ情報１２２と、ユーザ情報１２３と、現実映像１２４と、ＧＰＳ情報１２５とを記憶する。
【００４０】
ＶＲモデル情報１２１は、ＶＲ映像の生成に際してＣＧの素材として用いられるモデルに関する情報である。ＰＯＩ情報１２２は、上述したＰＯＩに関する情報である。ユーザ情報１２３は、移動体験提供サービスを利用するユーザに関する情報である。
【００４１】
現実映像１２４は、後述する取得部１３３によって取得される、カメラ５からの撮像映像が格納される。ＧＰＳ情報１２５は、同じく取得部１３３によって取得される車両ＣのＧＰＳ情報が格納される。
【００４２】
制御部１３０は、コントローラ（controller）であり、たとえば、ＣＰＵ（Central  Processing  Unit）やＭＰＵ（Micro  Processing  Unit）等によって、移動体験提供装置１００内部の記憶装置に記憶されている各種プログラムがＲＡＭを作業領域として実行されることにより実現される。また、制御部１３０は、たとえば、ＡＳＩＣ（Application  Specific  Integrated  Circuit）やＦＰＧＡ（Field  Programmable  Gate  Array）等の集積回路により実現することができる。
【００４３】
図３に示すように、制御部１３０は、登録部１３１と、認証部１３２と、取得部１３３と、生成部１３４と、配信部１３５とを有し、以下に説明する情報処理の機能や作用を実現または実行する。
【００４４】
登録部１３１は、たとえば運営者端末２００からの登録要求に基づき、ＶＲモデル情報１２１、ＰＯＩ情報１２２およびユーザ情報１２３を登録する。なお、登録部１３１は、運営者端末２００からに限らず、他の外部装置、たとえばＶＲモデル情報サーバや、地図情報サーバ、ユーザの利用するスマートフォン等の情報処理端末などから登録要求を受け付けてもよい。また、可搬型の記憶媒体に記憶された情報に基づいて登録処理を実行してもよい。
【００４５】
認証部１３２は、ユーザが移動体験提供サービスを利用する際に認証要求を受け付け、ユーザ情報１２３に基づいて認証する。なお、ユーザ情報１２３には、たとえば移動体験提供サービスを利用するユーザが装着するＶＲゴーグル１０の識別情報が含まれており、かかる識別情報を含む認証要求を受け付けた場合にのみ、認証部１３２は、かかるユーザを認証する。
【００４６】
取得部１３３は、カメラ５の撮像映像を取得し、現実映像１２４へ格納する。また、取得部１３３は、車両ＣのＧＰＳ情報を取得し、ＧＰＳ情報１２５へ格納する。
【００４７】
生成部１３４は、ＶＲモデル情報１２１、ＰＯＩ情報１２２、現実映像１２４およびＧＰＳ情報に基づいてＶＲ映像を生成する。配信部１３５は、生成部１３４によって生成されたＶＲ映像をＶＲゴーグル１０へ配信する。
【００４８】
ところで、上述のように、ＶＲ空間内においては、仮想の移動体は、現実の移動体を模したものに限らなくともよく、映画や空想の世界に登場するようなものであってもよい。次に、かかる点について、図４Ａおよび図４Ｂを用いて説明する。
【００４９】
図４Ａは、仮想の移動体の具体例（仮想の移動体のオプション）を示す図である。また、図４Ｂは、仮想の移動体の室内における外観表示の具体例（内部スキンのオプション）を示す図である。
【００５０】
図４Ａに示すように、まず仮想の移動体は、現実の移動体を模したものであってもよい。移動体が車両Ｃであれば、たとえばＶＲ空間における仮想の車両は、「現実の車両」を模した「高級車Ａ」や「高級車Ｂ」、「クラシックカーＤ」等にすることができる。
【００５１】
また、仮想の移動体は、たとえば「映画」に登場する移動体を模したものであってもよい。かかる場合、たとえばＶＲ空間における仮想の車両は、「映画○○のパトカー」や「ＳＦ映画××のタイムマシンカー」等にすることができる。
【００５２】
また、仮想の移動体は、たとえば「空想の世界」に登場する移動体を模したものであってもよい。かかる場合、たとえばＶＲ空間における仮想の移動体は、「空飛ぶ絨毯」や「ペガサス」等にすることができる。このように、現実の技術レベルの制約に縛られない仮想の移動体による疑似体験を実現可能とすることで、ユーザに対し、移動体験提供サービスを通じて、新たな付加価値を提供することができる。たとえば、ユーザは、自身の所有する車両を、個人的なアミューズメント施設として利用することが可能となる。
【００５３】
また、図４Ｂに示すように、内部スキンも、「透明」や「半透明」、「和風」といった多数のオプションを用意しておくことで、ユーザに対し、今までにない移動感覚を体験させるのに資することができる。
【００５４】
なお、図４Ａおよび図４Ｂに示した各オプションは、それぞれ対応するＶＲモデルが予めＶＲモデル情報１２１へ登録されているとともに、移動体験提供サービスの利用に際してユーザによって選択される。生成部１３４は、かかるユーザの選択に対応するＶＲモデルをＶＲモデル情報１２１から取得して、ＶＲ映像を生成することとなる。
【００５５】
ところで、上述のように、本実施形態では、移動体験中においてユーザＵ０１は実際に移動しているため、ＶＲ空間内への没入を防ぐため、実際の移動にあわせてＶＲ映像に現実の目印となるＰＯＩを合成することが好ましい。また、ＶＲ映像においては、車外の映像には現実の映像を合成することとしてもよい。
【００５６】
図５Ａおよび図５Ｂは、ＶＲ映像における車外の風景の具体例を示す図（その１）および（その２）である。図５Ａに示すように、ＶＲ空間内においては、車内および車外ともに、ＶＲ映像であってもよい。
【００５７】
なお、この場合、図中に「富士山」として示すように、ＧＰＳ情報１２５の基づいて目印となるＰＯＩを合成して表示するとよい。これにより、ユーザがＶＲ空間内へ没入し過ぎて、現実の移動における現在位置を把握できなくなるのを防ぐことができる。
【００５８】
したがって、その意味においては、図５Ｂに示すように、車外については現実映像１２４を合成して表示することとしてもよい。これにより、ユーザは、たとえば車内については、ＶＲ映像の仮想の車両の内装等により現実の車両に制約されない移動感覚を体験しつつも、車外については、現実の映像により現在位置を把握することが可能となる。なお、図５Ｂに示す例は、いわゆる拡張現実（ＡＲ：Augmented  Reality）空間とも言えるが、広くＶＲ空間に含まれるものとする。
【００５９】
次に、複数のユーザが同時にＶＲ空間を共有する、すなわち、仮想の移動体による移動体験を複数のユーザで共有する場合の具体例について、図６Ａ〜図６Ｃを用いて説明する。図６Ａ〜図６Ｃは、仮想の移動体による移動体験を複数のユーザで共有する場合の具体例を示す図（その１）〜（その３）である。
【００６０】
図６Ａに示すように、ユーザＵ０１がカメラ５を備える車両Ｃにより移動中であり、ユーザＵ０２が飛行機により移動中であり、ユーザＵ０３が電車により移動中であるものとする。また、車両Ｃが、ホストとなる移動体であるものとする。
【００６１】
かかる場合に、ユーザＵ０１〜Ｕ０３に仮想の移動体による移動体験を共有させる場合、ユーザＵ０１〜Ｕ０３はまず、それぞれＶＲゴーグル１０を装着する。
【００６２】
そして、車両Ｃは、移動中において、カメラ５の「撮像映像およびＧＰＳ情報を送信」する。また、ユーザＵ０２およびユーザＵ０３のＶＲゴーグル１０は、それぞれ「ＧＰＳ情報を送信」する。
【００６３】
移動体験提供装置１００は、通信ネットワークＮを介して、カメラ５の「撮像映像および各ＧＰＳ情報を取得」する。
【００６４】
そして、移動体験提供装置１００は、かかる撮像映像および各ＧＰＳ情報に基づき、「ユーザＵ０１〜Ｕ０３が同乗したＶＲ映像を生成」し、生成した「ＶＲ映像を配信」する。
【００６５】
たとえば、移動体験提供装置１００は、図６Ａに示すように、ＶＲ空間内において仮想の高級セダンＬＳにユーザＵ０１〜Ｕ０３が同乗して移動するＶＲ映像を生成して配信する。なお、かかるＶＲ映像においては、同乗者は、アバターとして表示される。
【００６６】
たとえば、ユーザＵ０１のＶＲゴーグル１０に表示されるＶＲ映像には、ユーザＵ０２のアバターａｖ０２と、ユーザＵ０３のアバターａｖ０３とが同乗者として表示される。また、ユーザＵ０２のＶＲゴーグル１０に表示されるＶＲ映像には、ユーザＵ０３のアバターａｖ０３と、ユーザＵ０１のアバターａｖ０１とが同乗者として表示される。また、ユーザＵ０３のＶＲゴーグル１０に表示されるＶＲ映像には、ユーザＵ０１のアバターａｖ０１と、ユーザＵ０２のアバターａｖ０２とが同乗者として表示される。
【００６７】
そして、たとえば仮想の高級セダンＬＳの車外の風景は、車両Ｃからの現実映像１２４に基づいて生成されたＶＲ映像が表示される。ただし、車両Ｃには実際に搭乗していないユーザＵ０２，Ｕ０３については、ＶＲ空間内への没入により実際の現在位置が把握できなくなるのを防止するため、ユーザＵ０２，Ｕ０３それぞれに配信するＶＲ映像に対し、それぞれのＧＰＳ情報に基づく個別のＰＯＩを表示することが好ましい。
【００６８】
図６Ｂおよび図６Ｃには、ユーザＵ０２，Ｕ０３それぞれのＶＲゴーグル１０に同時に配信されたＶＲ映像の一例を示している。図６Ｂに示すように、現実には飛行機に搭乗中であるユーザＵ０２のＶＲ映像には、たとえば「ヒマラヤ山脈」がＰＯＩとして表示されることがありうる。
【００６９】
と同時に、図６Ｃに示すように、現実には電車に搭乗中であるユーザＵ０３のＶＲ映像には、たとえば「○○駅ビル」がＰＯＩとして表示されることがありうる。
【００７０】
これにより、ユーザＵ０２，Ｕ０３が実際の現在位置を把握できなくなるのを防止し、たとえば、ユーザＵ０３が電車を乗り過ごしてしまうのを防止することができる。
【００７１】
このように、本実施形態に係る移動体験提供装置１００によれば、複数のユーザの物理的な位置関係に縛られることなく、ＶＲ空間内において仮想の移動体に複数のユーザを同乗させることができ、かかる仮想の移動体による移動体験を共有させることができる。
【００７２】
したがって、それぞれ遠方にいてなかなか会えない友人や家族、恋人同士などが、ＶＲ空間内においてドライブを楽しむといった移動体験を享受することができる。また、移動体験提供サービスの運営者は、こうした人たち向けにＶＲ空間におけるドライブツアーといったコンテンツを企画し、販売することが可能となる。
【００７３】
次に、実施形態に係る移動体験提供装置１００が実行する処理手順について、図７を用いて説明する。図７は、実施形態に係る移動体験提供装置１００が実行する処理手順を示すフローチャートである。なお、図７には、現実映像１２４およびＧＰＳ情報１２５の取得１回分の処理手順を示している。
【００７４】
まず、取得部１３３が、現実空間を移動する移動体周囲の現実映像１２４およびＧＰＳ情報１２５を取得する（ステップＳ１０１）。
【００７５】
そして、生成部１３４が、現実映像１２４およびＧＰＳ情報１２５に基づいてＶＲ空間を仮想の移動体が移動するＶＲ映像を生成する（ステップＳ１０２）。
【００７６】
そして、配信部１３５が、ＶＲ映像を移動体に搭乗するユーザへ配信し（ステップＳ１０３）、処理を終了する。
【００７７】
上述してきたように、本実施形態に係る移動体験提供装置１００は、取得部１３３と、生成部１３４と、配信部１３５とを備える。取得部１３３は、現実空間を移動する移動体周囲の現実映像１２４（「周囲画像」の一例に相当）およびかかる移動体の現実空間における位置を取得する。生成部１３４は、現実映像１２４および上記位置に基づいてＶＲ空間を上記移動体に対応する仮想の移動体が移動するＶＲ映像を生成する。配信部１３５は、ＶＲ映像を上記移動体に搭乗するユーザへ配信する。
【００７８】
したがって、本実施形態に係る移動体験提供装置１００によれば、現実の移動体に制約されない移動感覚を体験させることができる。
【００７９】
また、生成部１３４は、上記仮想の移動体を、実際に存在する乗り物を模したもの、または、空想の世界のものとしたＶＲ映像を生成する。
【００８０】
したがって、本実施形態に係る移動体験提供装置１００によれば、現実の技術レベルに制約されない移動体の移動感覚を体験させることができる。
【００８１】
また、生成部１３４は、上記位置に基づき、ＰＯＩ情報（「現実空間での目印となる情報」の一例に相当）を含むＶＲ映像を生成する。
【００８２】
したがって、本実施形態に係る移動体験提供装置１００によれば、ユーザがＶＲ空間に没入して、現実空間における現在位置を把握できなくなるのを防止することができる。
【００８３】
また、生成部１３４は、移動体に実際には同乗しないユーザを含む複数のユーザを上記仮想の移動体にアバターとして同乗させたＶＲ映像を生成し、配信部１３５は、複数のユーザのそれぞれに対し、ＶＲ映像を配信する。
【００８４】
したがって、本実施形態に係る移動体験提供装置１００によれば、他の交通手段を使って移動している他のユーザと、あたかも同乗してドライブしているような移動感覚を得ることができる。
【００８５】
また、取得部１３３は、上記複数のユーザそれぞれの上記位置を取得し、生成部１３４は、かかる位置に基づいて、上記複数のユーザそれぞれに対するＶＲ映像にＰＯＩ情報が含まれるようにＶＲ映像を生成する。
【００８６】
したがって、本実施形態に係る移動体験提供装置１００によれば、他の交通手段を使って移動しているユーザがＶＲ空間に没入して、たとえば乗り過ごしてしまったりするのを防ぐことができる。
【００８７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８８】
１    移動体験提供システム
５    カメラ
１０    ＶＲゴーグル
１００    移動体験提供装置
１２１    ＶＲモデル情報
１２２    ＰＯＩ情報
１２４    現実映像
１２５    ＧＰＳ情報
１３３    取得部
１３４    生成部
１３５    配信部
Ｕ０１，Ｕ０２，Ｕ０３  ユーザ
【図１Ａ】
2019207484.tif 000003
【図１Ｂ】
2019207484.tif 000004
【図２】
2019207484.tif 000005
【図３】
2019207484.tif 000006
【図４Ａ】
2019207484.tif 000007
【図４Ｂ】
2019207484.tif 000008
【図５Ａ】
2019207484.tif 000009
【図５Ｂ】
2019207484.tif 000010
【図６Ａ】
2019207484.tif 000011
【図６Ｂ】
2019207484.tif 000012
【図６Ｃ】
2019207484.tif 000013
【図７】
2019207484.tif 000014